(57)【要約】【課題】足裏が過度な刺激を受けることを防止できる、装着感や衛生面に優れた足裏指圧サポーターを提供する。【解決手段】指圧パーツ４を荷重作用方向への変位が許容された状態でクッション材３に設置し、クッション材３と指圧パーツ４とを吸汗性の布地カバー５で覆う。【選択図】図１
2004358268.tif 000002
【特許請求の範囲】
【請求項１】
足裏に当てて指圧効果を得るための複数の指圧パーツと、
上記複数の指圧パーツを支持し、足裏からの荷重によって変形することにより、上記複数の指圧パーツが互いに独立して当該荷重作用方向に変位することを許容するクッション材とを備えていることを特徴とする足裏指圧用品。
【請求項２】
請求項１において、
上記クッション材と上記指圧パーツとが吸汗性の布地カバーで覆われていることを特徴とする足裏指圧用品。
【請求項３】
請求項１又は請求項２において、
上記クッション材の底面に履物に取り付けるための固定手段を備えていることを特徴とする足裏指圧用品。
【請求項４】
足の土踏まずの部位に嵌められる伸縮性の帯輪と、
上記帯輪の内面に貼り付けられたクッション材と、
上記クッション材に設けられ、上記足の土踏まず側の面に当てて指圧効果を得るための複数の指圧パーツとを備え、
上記クッション材は、足裏からの荷重によって変形することより、上記複数の指圧パーツを各々が互いに独立して当該荷重作用方向に変位するように支持していることを特徴とする足裏指圧サポーター。
【請求項５】
請求項４において、
上記クッション材と上記指圧パーツとが吸汗性の布地カバーで覆われていることを特徴とする足裏指圧サポーター。
【発明の詳細な説明】
【技術分野】
【０００１】
本発明は、足裏指圧サポーターに関するものである。
【背景技術】
【０００２】
足裏は人体の中でも手のひらと並んで非常に敏感な部位であり、そこに刺激を与えることは疲労回復や健康増進、さらには内臓疾患などの治療にも有効であると言われている。このため、足裏に刺激を与えることを目的とした指圧用品が多数存在しており、様々な形態のものがある。
【０００３】
その中で指圧するための行為を特に必要とせず、足に装着して日常生活の中で足裏の指圧状態を生み出すことができるものとして、足載せ面に複数の突起を有するサンダル（いわゆる健康サンダル）がある。また、別の形態として靴の中敷きに複数の突起を設けた指圧用品などもある。
【０００４】
上記指圧用品は、当該サンダルや当該中敷きを装着した靴を履かなければ指圧状態を生み出すことができない。そこで、履物に関係なく指圧状態を生み出すことができるものとして、特許文献１に記載されている足用指圧サポーターがある。
【０００５】
上記サポーターは、足の土踏まずの部位に嵌められる薄いゴム生地の伸縮帯輪で、その伸縮帯輪の足裏接触面に多数の突起が設けられている。当該サポーターは靴下を履く感覚で手軽に装着できるため、何も履いていない時や如何なるものを履いている時でも足裏の指圧を行うことができ、またコンパクトに収納できるため携帯して必要な時にいつでも使うことができる。
【特許文献１】特開２００３−３８６１２号公報
【発明の開示】
【発明が解決しようとする課題】
【０００６】
しかしながら、上記のような足裏用の指圧用品では、足裏は非常に敏感な部位であるにも拘らず、使用者各々の体重によって指圧を行うために足裏が大きな力で指圧され、過度に使用し続けると足裏が受ける刺激が大きくなり過ぎ、皮膚表面が硬化して痛みやかゆみの原因になったり、健康を阻害する場合がある。
【０００７】
また、突起が足裏に直接当たるので、違和感を覚える。
【０００８】
加えて、突起同士の隙間にゴミが溜まり、足裏から排出される汗も吸収されにくいので、雑菌が繁殖しやすく非常に不衛生である。
【０００９】
本発明は、斯かる点に鑑みてなされたものであり、その目的とするところは、足裏が過度な刺激を受けることを防止できる、装着感や衛生面に優れた足裏指圧用品及び足裏指圧サポーターを提供することにある。
【課題を解決するための手段】
【００１０】
請求項１に係る足裏指圧用品は、足裏に当てて指圧効果を得るための複数の指圧パーツと、
上記複数の指圧パーツを支持し、足裏からの荷重によって変形することにより、上記複数の指圧パーツが互いに独立して当該荷重作用方向に変位することを許容するクッション材とを備えていることを特徴とする。
【００１１】
従って、当該足裏指圧用品を足裏に当てて体重を載せた時に、上記複数の指圧パーツは上記クッション材にめり込み、足裏からの荷重は指圧パーツだけでなくクッション材にも支持される状態になるから、当該足裏指圧用品では指圧パーツが足裏を指圧する力（以下、指圧力という）が緩和される。また、上記指圧力はクッション材の変形を伴いながら足裏に作用するため、足裏に対して急激に大きな刺激が加わることを避けることができる。よって、過度の使用によって皮膚表面が硬化したり、健康が阻害されるような大きな刺激を足裏が受けることを防止することができる。
【００１２】
さらに、上記指圧パーツは足裏からの荷重を様々な方向から受け、めり込むだけではなく前後・左右にも変位するから、指圧パーツが足裏を指圧する位置（以下、指圧位置という。）が度々変化する。よって、当該足裏指圧用品では各指圧パーツは特定の位置のみを指圧する状態にはならず、足裏への刺激が分散され、長時間使用しても皮膚表面が硬化して痛みやかゆみの原因になったり、健康を阻害する要因になったりすることはない。
【００１３】
請求項２に係る足裏指圧用品は、請求項１において、
上記クッション材と上記指圧パーツとが吸汗性の布地カバーで覆われていることを特徴とする。
【００１４】
従って、請求項１の発明によって、足裏への上記指圧力が緩和され、各指圧パーツの指圧位置が変化して足裏への刺激が分散されることに加えて、上記吸汗性の布地カバーによって、指圧パーツが足裏に直接当たることで覚える違和感をなくすことができ、また指圧パーツ同士の隙間にゴミが溜まることがなく、足裏から排出される汗を吸収することもできるので、装着感が良く衛生的に当該足裏指圧用品を使用できるようになる。
【００１５】
請求項３に係る足裏指圧用品は、請求項１又は請求項２において、
上記クッション材の底面に履物に取り付けるための固定手段を備えていることを特徴とする。
【００１６】
よって、当該足裏指圧用品は上記固定手段によって任意の履物に取り付けることができるようになる。当該足裏指圧用品を取り付けた履物を装着すれば、請求項１又は請求項２と同様の効果を奏しつつ、日常生活の中で適度な足裏の指圧状態を生み出すことができるようになる。
【００１７】
例えば、固定手段としてマジックテープ（商標名）を使用した場合、履物側にも当該足裏指圧用品に対応するマジックテープを設け、互いに貼り合わせることにより、当該足裏指圧用品を履物に取り付けることができるようになる。
【００１８】
請求項４に係る足裏指圧サポーターは、足の土踏まずの部位に嵌められる伸縮性の帯輪と、
上記帯輪の内面に貼り付けられたクッション材と、
上記クッション材に設けられ、上記足の土踏まず側の面に当てて指圧効果を得るための複数の指圧パーツとを備え、
上記クッション材は、足裏からの荷重によって変形することより、上記複数の指圧パーツを各々が互いに独立して当該荷重作用方向に変位するように支持していることを特徴とする。
【００１９】
すなわち、当該サポーターは上記帯輪の内面に請求項１の足裏指圧用品が設けられていることを特徴とする。よって、当該サポーターを装着すれば、何も履いていない時や如何なるものを履いている時でも、請求項１と同様の効果を奏しつつ、日常生活の中で適度な足裏の指圧状態を生み出すことができるようになる。
【００２０】
請求項５に係る足裏指圧サポーターは、請求項４において、
上記クッション材と上記指圧パーツとが吸汗性の布地カバーで覆われていることを特徴とする。
【００２１】
すなわち、当該サポーターは上記帯輪の内面に請求項２の足裏指圧用品が設けられていることを特徴とする。よって、当該サポーターを装着すれば、何も履いていない時や如何なるものを履いている時でも、請求項２と同様の効果を奏しつつ、日常生活の中で適度な足裏の指圧状態を生み出すことができるようになる。
【発明の効果】
【００２２】
請求項１の発明によれば、複数の指圧パーツが上記のごとく荷重作用方向への変位が許容された状態でクッション材に支持されているから、足裏への上記指圧力が緩和され、各指圧パーツの指圧位置が変化して足裏への刺激が分散される。
【００２３】
よって、過度の使用により却って痛みやかゆみ、健康の阻害を生じるといった問題を伴うことなく、疲労回復や健康増進等を目的とする足裏指圧を効果的に行うことができるようになる。
【００２４】
請求項２の発明によれば、請求項１の発明に加え、上記クッション材と上記指圧パーツとが吸汗性の布地カバーで覆われているから、装着感が良く衛生的に当該サポーターを使用できるようになる。
【００２５】
よって、請求項１によって解消される過度の使用による痛みやかゆみ、健康の阻害に関する問題、さらには装着感や衛生面に関する問題を伴うことなく、疲労回復や健康増進等を目的とする足裏指圧を効果的に行うことができるようになる。
【００２６】
請求項３の発明によれば、請求項１又は請求項２の足裏指圧用品の底面に固定手段を備えているから、当該足裏指圧用品は任意の履物に取り付けることができるようになる。
【００２７】
よって、当該足裏指圧用品を使用すれば、指圧突起を有しない靴、スリッパ、ブーツ等様々な履物によって、請求項１又は請求項２と同様の効果を奏しつつ、疲労回復や健康増進等を目的とする足裏指圧を効果的に行うことができるようになる。
【００２８】
請求項４の発明によれば、請求項１の足裏指圧用品を上記帯輪の内面に設けたから、当該サポーターを使用すれば、家の中で何も履いていない時や指圧突起を有しないものを履いている時など履物に関係なく、請求項１と同様の効果を奏しつつ、疲労回復や健康増進等を目的とする足裏指圧を効果的に行うことができるようになる。
【００２９】
請求項５の発明によれば、請求項２の足裏指圧用品を上記帯輪の内面に設けたから、当該サポーターを使用すれば履物に関係なく、請求項２と同様の効果を奏しつつ、疲労回復や健康増進等を目的とする足裏指圧を効果的に行うことができるようになる。
【発明を実施するための最良の形態】
【００３０】
《発明の実施形態１》
以下、本発明の実施形態１を図面に基づいて詳細に説明する。
【００３１】
図１は本発明の実施形態１に係る足裏指圧サポーター１を示している。
【００３２】
上記サポーター１は、複数の指圧パーツ４が荷重作用方向への変位が許容された状態でクッション材３に支持されていること、該クッション材３と該指圧パーツ４とが吸汗性の布地カバー５で覆われていることを特徴とし、つま先を通して図２に示すように土踏まずを覆うように足に装着される。
【００３３】
上記サポーター１は、足の土踏まずの部位に嵌められる伸縮性の帯輪２と、上記帯輪２の内面に貼り付けられたクッション材３と、上記足の土踏まず側に当てて指圧効果を得るための複数の指圧パーツ４と、該クッション材３と該指圧パーツ４とを覆う吸汗性の布地カバー５とを備えてなる。
【００３４】
上記クッション材３は、図３に示すように、土踏まずに合わせて三角形状に形成され、その最長辺が土踏まずにおける足裏の内側線に合うように、最長辺を上記帯輪２の幅方向に合わせて上記帯輪２の内面に貼り付けられている。上記クッション材３の部材厚は、図４に示すように、最長辺の中央付近が最も大きく、端に近づくに従って小さくなる。
【００３５】
上記指圧パーツ４は、その形状は球体でクッション材３の表面に半球を露出して突起を形成し、上記帯輪２との間にクッション材３が介在する状態でクッション材３に設置されている。上記指圧パーツ４は、クッション材３の部材厚が大きい位置（図３において最長辺側、図４において中央側）ほど大きい球体が配置されている。
【００３６】
これによって、クッション材３に体重を載せた時に、上記指圧パーツ４は上記クッション材３にめり込んだり、前後・左右に変位することができるため、足裏への上記指圧力が緩和され、各指圧パーツ４の指圧位置が変化して刺激が分散される。
【００３７】
この時、上記指圧パーツ４は上記クッション材３に完全に埋没して、クッション材３と指圧パーツ４とによって体重を支える状態になるように、クッション材３の部材厚は指圧パーツ４各々の位置においてその直径（高さ）以上であることが望ましい。
【００３８】
なお、指圧パーツ４の形状、大きさ、配置、数量に限定はない。例えば、形状を楕円球状や底面を有する突起状にしてもよく、全てを同じ大きさにしてもよい。
【００３９】
上記クッション材３にはシリコン系の樹脂を使用している。しかし、上記のごとく指圧パーツ４の変位を許容できるものであれば他の素材でもよい。
【００４０】
また、上記指圧パーツ４には硬質プラスチックを使用している。しかし、装着感が良く体重によって変形しない強度を有するものであれば他の素材でもよく、磁石やトルマリンなどのように、それ自体で足裏の血行を促進させることができる素材を使用してもよい。
【００４１】
上記布地カバー５は、図４に示すように、クッション材３と指圧パーツ４とを覆って上記帯輪２に固定されている。
【００４２】
これによって、指圧パーツ４が足裏に直接当たることで覚える違和感をなくすことができ、また指圧パーツ４同士の隙間にゴミが溜まることがなく、足裏から排出される汗を吸収することもできる。
【００４３】
よって、足裏指圧サポーター１を使用すれば、過度の使用により却って痛みやかゆみ、健康の阻害を生じるといった問題、あるいは装着感や衛生面に関する問題を伴うことなく、疲労回復や健康増進等を目的とする足裏指圧を効果的に行うことができる。
【００４４】
《発明の実施形態２》
以下、本発明の実施形態２を図面に基づいて詳細に説明する。
【００４５】
図５は本発明に係る足裏指圧用品１０をスリッパ１２に取り付けた時の斜視図である。
【００４６】
上記足裏指圧用品１０は、複数の指圧パーツ４が荷重作用方向への変位が許容された状態でクッション材３に支持されていること、該クッション材３と該指圧パーツ４とが吸汗性の布地カバー５で覆われていること、該クッション材３の底面に固定手段としてマジックテープ１１（商標名）を備えていることを特徴とする。
【００４７】
上記足裏指圧用品１０は、クッション材３と、足の土踏まず側に当てて指圧効果を得るための複数の指圧パーツ４と、該クッション材３と該指圧パーツ４とを覆う吸汗性の布地カバー５と、履物に貼り付けるためのマジックテープ１１とを備えてなる。
【００４８】
上記クッション材３は、本発明の実施形態１に係るクッション材３と同様に、土踏まず合わせて三角形状に形成され、その部材厚は最長辺の中央付近が最も大きく、端に近づくに従って小さくなる。（図３及び図６参照）
上記指圧パーツ４は、本発明の実施形態１と同様に、その形状は球体でクッション材３の表面に半球を露出して突起を形成し、クッション材３に支持されている。上記指圧パーツ４は、クッション材３の部材厚が大きい位置（図３において最長辺側、図６において中央側）ほど大きい球体が配置されている。
【００４９】
上記布地カバー５は、図６に示すように、クッション材３と指圧パーツ４とを覆ってクッション材３の外縁に固定されている。上記布地カバー５は、指圧パーツ４の支持面だけでなく、クッション材３全体を包み込んで全表面を覆うようにしてもよい。
【００５０】
固定手段としての上記マジックテープ１１は、図６に示すように、上記クッション材３の底面に備えられている。
【００５１】
これによって、当該足裏指圧用品１０は任意の履物に取り付けることができるようになる。
【００５２】
上記マジックテープ１１は、使用者が履物を装着している時に当該足裏指圧用品１０が剥がれない強度があればよく、クッション材３の底面全体に設ける必要はない。
【００５３】
よって、当該足裏指圧用品１０を取り付けた履物を装着すれば、過度の使用により却って痛みやかゆみ、健康の阻害を生じるといった問題、あるいは装着感や衛生面に関する問題を伴うことなく、疲労回復や健康増進等を目的とする足裏指圧を効果的に行うことができる。
【図面の簡単な説明】
【００５４】
【図１】本発明の実施形態１の足裏指圧サポーターの斜視図。
【図２】本発明の実施形態１の足裏指圧サポーターを足に装着した時の側面図。
【図３】本発明の実施形態１及び本発明の実施形態２に係るクッション材の平面図。
【図４】本発明の実施形態１の足裏指圧サポーターの断面図。
【図５】本発明の実施形態２の足裏指圧用品をスリッパに取り付けた時の斜視図。
【図６】本発明の実施形態２の足裏指圧用品の断面図。
【符号の説明】
【００５５】
１    足裏指圧サポーター
２    伸縮性の帯輪
３    クッション材
４    指圧パーツ
５    布地カバー
１０  足裏指圧用品
１１  マジックテープ
１２  スリッパ
【図１】
2004358268.tif 000003
【図２】
2004358268.tif 000004
【図３】
2004358268.tif 000005
【図４】
2004358268.tif 000006
【図５】
2004358268.tif 000007
【図６】
2004358268.tif 000008